(57)【要約】      （修正有）【課題】のぼり旗が大きな風圧を受けて捲れ上がり、ひいてはのぼりが倒れることを防止するとともに、情報伝達媒体としての機能を維持したのぼり旗を提供する。【解決手段】旗布１１と、旗布を支柱に装着するために前記旗布の一側辺及び上辺に沿って設けた装着部材１２ａ、１２ｂとを有するのぼり旗１０において、旗布の前記上辺の外端から下方に延びる他側辺が支柱方向にわずかに傾斜していることを特徴とする旗布を採用することで、風圧による影響を抑制するとともに、文字・絵柄１等の情報を十分に記載することができる旗布のスペースを確保する。【選択図】図１
0003125714.tif 000002
【実用新案登録請求の範囲】
【請求項１】
旗布と、旗布を支柱に装着するために前記旗布の一側辺及び上辺に沿って設けた装着部材とを有するのぼり旗において、旗布の前記上辺の外端から下方に延びる他側辺が支柱方向にわずかに傾斜していることを特徴とするのぼり旗。
【請求項２】
旗布の前記上辺の外端から下方に延びる他側辺が、前記一側辺の下端から側方に延びる下辺の外端と交わり、上下に長く、下すぼまりの台形に形成されたことを特徴とする請求項１に記載ののぼり旗。
【請求項３】
旗布の前記上辺の外端から下方に延びる他側辺が、上端から下方に向かうにしたがい漸次傾斜角度が大きくなり、前記一側辺の下端と交わる放物線に形成されたことを特徴とする請求項１に記載ののぼり旗。
【考案の詳細な説明】
【技術分野】
【０００１】
本考案は、例えば神社仏閣の催事或いは街頭での広告等に用いられるのぼり旗に関する。
【背景技術】
【０００２】
従来、広告等として使用されているのぼり旗は、縦長の矩形状の旗布と、この旗布の一方の側縁部及び上縁部にそれぞれ設けられた装着部材とから形成されている。
具体的には、図３に示すように、のぼり旗３０は、旗布３１と、旗布３１の一側辺３１ａ及び上辺３１ｂに沿ってそれぞれ取り付けられた複数の装着部材３２ａ及び３２ｂとからなり、装着部材３２ａ及び３２ｂがそれぞれ支柱３３及び水平部材３３ａに装着されることにより旗布３１を支持し、のぼり旗を構成する。
【考案の開示】
【考案が解決しようとする課題】
【０００３】
しかし、このような従来ののぼり旗では旗布に大きな風圧が働くと、旗布下部が捲くれ上がるという不都合が生じ、強風の際にはのぼりが倒れる虞れがある。
【０００４】
かといって、図４に示すように旗布を逆三角形に形成したのでは、矩形状ののぼり旗と比べて旗布の面積が１／２になるため、情報伝達媒体としての機能において劣る。すなわち、面積が１／２になるうえ、三角形の鋭角部分に記載できる文字・絵柄等は大きさが限定されるので、実際に情報伝達媒体としての機能を果たし得る旗布のスペースは、矩形状の旗布の１／２以下となる。
【０００５】
そこで、本考案は、のぼり旗に対する風の影響を和らげるという課題を克服するとともに、のぼり旗の情報伝達媒体としての機能を維持したのぼり旗の提供を目的とする。
【課題を解決するための手段】
【０００６】
上記目的を達成するために請求項１に記載ののぼり旗は、旗布と、旗布を支柱に装着するために前記旗布の一側辺及び上辺に沿って設けた装着部材とを有するのぼり旗において、旗布の前記上辺の外端から下方に延びる他側辺を支柱方向にわずかに傾斜させることによって、旗布の支柱に装着されない側の下端部を省き、それによりのぼり旗が受ける風圧を抑制し、旗布下部が捲れ上がるのを防止できるとともに、通行人の視界を遮ることを防ぐことができる。しかも、他側辺の支柱方向への傾斜はわずかであるので、情報伝達媒体としての機能を十分維持できる。
【０００７】
また、上記目的を達成するために請求項２に記載ののぼり旗は、旗布の前記上辺の外端から下方に延びる他側辺が、前記一側辺の下端から側方に延びる下辺の外端と交わり、上下に長く、下すぼまりの台形に形成されることによって、旗布の面積を小さくして風の影響力を抑えながらも、矩形状の旗布を使用した場合にひけをとらない文字・絵柄等の記載スペースを確保することができるので、情報伝達媒体としての機能も十分に発揮できる。
【０００８】
さらに、上記目的を達成するために請求項３に記載ののぼり旗は、旗布の前記上辺の外端から下方に延びる他側辺が、上端から下方に向かうにしたがい漸次傾斜角度が大きくなり、前記一側辺の下端と交わる放物線に形成されることによって、旗布下部の捲れ上がりを防止し、文字・絵柄等の記載スペースを十分に確保するとともに、放物線を用いた斬新な形状により人の目を惹かせることができるので、より一層の広告効果がある。
【考案の効果】
【０００９】
本考案ののぼり旗において、旗布の前記上辺の外端から下方に延びる他側辺が、前記一側辺の下端から側方に延びる下辺の外端と交わり、上下に長く、下すぼまりの台形とした場合は、のぼり旗に対する風の影響力を和らげ、通行人の視界を遮ることを防ぐとともに、文字・絵柄等の情報を十分に記載できるだけのスペースを確保することができる。
【００１０】
さらにまた、旗布の前記上辺の外端から下方に延びる他側辺が、上端から下方に向かうにしたがい漸次傾斜角度が大きくなり、前記一側辺の下端と交わる放物線とした場合は、のぼり旗に対する風の影響力を和らげ、通行人の視界を遮ることを防ぎ、文字・絵柄等の情報を十分に記載できるだけのスペースを確保するとともに、斬新な形状によりのぼり旗の視認性を向上させ、人目を惹かせるという効果も有し、より一層の情報伝達媒体としての機能が発揮される。
【考案を実施するための最良の形態】
【００１１】
次に、本考案の実施形態について図面を参照して説明する。
【００１２】
図１は、本考案の一実施形態であるのぼり旗の正面図である。支柱１３は上端部に水平部材１３ａを有し、のぼり旗１０は支柱１３及び水平部材１３ａに取り付けられて使用される。のぼり旗１０は、旗布１１と、旗布１１の一側辺１１ａ及び上辺１１ｂに沿ってそれぞれ取り付けられた複数の装着部材１２ａ及び１２ｂとを有する。装着部材１２ａは支柱１３に取り付けられ、装着部材１２ｂは水平部材１３ａに取り付けられて、旗布１１を支持してのぼり旗を構成し、街頭等に設置される。
【００１３】
装着部材１２ａ及び１２ｂは例えば布製の輪であり、この輪はそれぞれ支柱１３及び水平部材１３ａに挿通することができるように形成されている。
【００１４】
旗布１１は、一側辺１１ａと、上辺１１ｂと、一側辺１１ａの下端１４から側方に延びる下辺１１ｃと、上辺１１ｂの外端１５と下辺１１ｃの外端１６とを結ぶ他側辺１１ｄとを有する。下辺１１ｃの寸法は上辺１１ｂより短く設定されているので、他側辺１１ｄは上辺１１ｂの外端１５から支柱側に傾斜して延びており、この他側辺１１ｄの傾斜方向は、下辺１１ｃの外端１６と交差している。
【００１５】
旗布１１は、一側辺１１ａが１８０ｃｍ程度の寸法で、上辺１１ｂが７８ｃｍ程度の寸法に対し、下辺１１ｃが４３ｃｍ程度の寸法が好適であるが、例えば、上辺１１ｂと他側辺１１ｄの傾斜角度が各々若干異なる複数ののぼり旗を、街道沿いに一定間隔のもと連続して設置することにより、通行人の興味を惹き、視認性を向上させることができる。
【００１６】
このように旗布１１の形状を、下方に向かうにしたがい漸次幅狭となる逆台形とすることで、のぼり旗の捲くれ上がりがほとんど無くなると共に倒れにくくなった。しかも、文字・絵柄等を記載する旗布のスペース１を十分に確保することができた。
【００１７】
さらに、例えば１枚の矩形状可撓性シートから、１度の裁断で２枚の旗布を作成する場合、裁断線を可撓性シートの１辺に対して直角にして矩形状の旗布を作成するより、裁断線を可撓性シートの１辺に対して斜めにして台形状の旗布を作成する方が、旗布の上辺の寸法を大きく採れるため、旗布の作成コストは同じでも、のぼり旗を目にする通行人には視覚的に大きく見える。
【００１８】
次に、図２は本考案の他の実施形態であるのぼり旗の正面図である。支柱２３は上端部に水平部材２３ａを有し、のぼり旗２０は支柱２３及び水平部材２３ａに取り付けられて使用される。のぼり旗２０は、旗布２１と、旗布２１の一側辺２１ａ及び上辺２１ｂに沿ってそれぞれ取り付けられた複数の装着部材２２ａ及び２２ｂとを有する。装着部材２２ａは支柱２３に取り付けられ、装着部材２２ｂは水平部材２３ａに取り付けられて、旗布２１を支持してのぼり旗を構成し、街頭等に設置される。
【００１９】
装着部材２２ａ及び２２ｂは例えば布製の輪であり、この輪はそれぞれ支柱２３及び水平部材２３ａに挿通することができるように形成されている。
【００２０】
旗布２１は、一側辺２１ａと、上辺２１ｂと、上辺２１ｂの外端２５と一側辺２１ａの下端２４とを通り下方に向かうにしたがい漸次傾斜角度が大きくなる放物線２１ｃとを有する。放物線２１ｃの上記形状は、本考案が解決しようとしている課題のうち、文字・絵柄等の記載スペースの確保に適している。
【００２１】
旗布２１は、一側辺２１ａが１８０ｃｍ程度の寸法で、上辺２１ｂが６０ｃｍ程度の寸法が好適であるが、例えば、放物線２１ｃの接線の傾きが各々若干異なる複数ののぼり旗を、街道沿いに一定間隔のもと連続して設置することにより、通行人の興味を惹き、視認性を向上させることができる。
【００２２】
このように旗布２１の他側辺の形状を放物線とすることで、のぼり旗の風に対する耐性は、台形状の旗布１１を使用したとき以上になった。また、文字・絵柄等を記載する旗布のスペース１は、台形状の旗布１１を使用したときとほとんど同じスペースを確保することができた。
【図面の簡単な説明】
【００２３】
【図１】本考案の一実施形態であるのぼり旗の正面図である。
【図２】本考案の他の実施形態であるのぼり旗の正面図である。
【図３】従来ののぼり旗の正面図である。
【図４】従来ののぼり旗を三角形とした場合の正面図である。
【符号の説明】
【００２４】
１      文字、絵柄等
１０    のぼり
１１    旗布
１１ａ  旗布の一側辺
１１ｂ  旗布の上辺
１１ｃ  旗布の下辺
１１ｄ  旗布の他側辺
１２ａ、１２ｂ  装着部材
１３    支柱
１３ａ  支柱の水平部材
１４    旗布の一側辺の下端部
１５    旗布の上辺の外端部
１６    旗布の下辺の外端部
【図１】
0003125714.tif 000003
【図２】
0003125714.tif 000004
【図３】
0003125714.tif 000005
【図４】
0003125714.tif 000006